(57)【要約】      （修正有）【課題】文字入力のしやすさを向上させることができる電子機器を提供する。【解決手段】キーボードユニット１９は、筐体１４の開口１８内に収容される収容位置、および、筐体１４の表面に対して所定の傾斜角を規定する傾斜姿勢で立ち上がる展開位置の間で相対変位自在に筐体１４に連結される。使用者は、例えば右手の手のひらと中指、薬指および小指とで筐体１４を保持する。キーボードユニット１９は収容位置から展開位置に姿勢を変化させることができることから、使用者は、例えば親指を大きく曲げることなく入力キー２２を押すことができる。しかも、傾斜姿勢のキーボードユニット１９では、キーボード２１のスライド移動や回転が実現される。使用者は自分の押しやすい位置にキーパッド２２の位置を任意に移動させることができる。こうして使用者は快適に文字を入力することができる。【選択図】図９
2010277134.tif 000002
【特許請求の範囲】
【請求項１】
筐体と、
表面に入力キーを配列し、前記筐体の表面に形成される開口内に収容される収容位置、および、前記筐体の表面に対して所定の傾斜角を規定する傾斜姿勢で立ち上がる展開位置の間で相対変位自在に前記筐体に連結されるキーボードユニットとを備えることを特徴とする電子機器。
【請求項２】
請求項１に記載の電子機器において、前記キーボードユニットは、前記筐体の表面の側端に沿って規定される揺動軸回りで揺動自在に前記筐体に連結されることを特徴とする電子機器。
【請求項３】
請求項１または２に記載の電子機器において、
前記キーボードユニットは、
表面に前記入力キーを配列するキーボードと、
表面で前記キーボードの裏面を受け止めて、その表面に沿って前記キーボードを相対変位自在に支持する支持板とを備えることを特徴とする電子機器。
【請求項４】
請求項３に記載の電子機器において、前記支持板は、その表面に直交する回転軸回りで回転自在に前記キーボードを支持することを特徴とする電子機器。
【請求項５】
請求項１に記載の電子機器において、
前記キーボードユニットは、
表面に前記入力キーを配列するキーボードと、
表面で前記キーボードの裏面を受け止めて、その表面に直交する回転軸回りで回転自在に前記キーボードを支持する支持板とを備えることを特徴とする電子機器。
【発明の詳細な説明】
【技術分野】
【０００１】
本発明は、例えば携帯電話端末や携帯情報端末といった電子機器に関する。
【背景技術】
【０００２】
携帯電話端末は、例えば縦長の電話本体と、電話本体に連結される例えば縦長のディスプレイ装置とを備える。電話本体の表面にはキーパッドが配列される。使用者は例えばメールの送信にあたって電話本体を片手で持つことが多い。例えば手のひらと中指、薬指および小指とで電話本体の一方の側面と他方の側面とが保持される。このとき、使用者は、親指でキーパッドを押し下げて文字を入力する。
【先行技術文献】
【特許文献】
【０００３】
【特許文献１】特開２００３−３３３１４２号公報
【特許文献２】特開２００１−１１７７０９号公報
【発明の概要】
【発明が解決しようとする課題】
【０００４】
キーパッドは例えば電話本体の側面に沿って縦に配列される。こうしたキーパッドは電話本体の側面に隣接して配置される。したがって、例えば手のひらに受け止められる電話本体の一方の側面に沿って縦に配列されるキーパッドの押し下げにあたって親指は窮屈に折り曲げられなければならない。その結果、使用者は、一方の側面に沿って縦に配列されるキーパッドの文字を入力しにくい。
【０００５】
本発明は、上記実状に鑑みてなされたもので、文字入力のしやすさを飛躍的に向上させることができる電子機器を提供することを目的とする。
【課題を解決するための手段】
【０００６】
上記目的を達成するために、電子機器の一具体例は、筐体と、表面に入力キーを配列し、前記筐体の表面に形成される開口内に収容される収容位置、および、前記筐体の表面に対して所定の傾斜角を規定する傾斜姿勢で立ち上がる展開位置の間で相対変位自在に前記筐体に連結されるキーボードユニットとを備える。
【発明の効果】
【０００７】
以上のように開示の電子機器によれば、文字入力のしやすさを飛躍的に向上させることができる。
【図面の簡単な説明】
【０００８】
【図１】第１実施形態に係る電子機器すなわち携帯電話端末の構造を概略的に示す斜視図である。
【図２】展開位置のキーボードユニットを概略的に示す斜視図である。
【図３】第１実施形態に係る携帯電話端末の構造を概略的に示す側面図である。
【図４】展開位置のキーボードユニットを概略的に示す側面図である。
【図５】図３の５−５線に沿った部分断面図である。
【図６】図５の６−６線に沿った部分断面図である。
【図７】展開位置のキーボードユニットを概略的に示す斜視図である。
【図８】展開位置のキーボードユニットを概略的に示す斜視図である。
【図９】展開位置のキーボードユニットを概略的に示す斜視図である。
【図１０】一具体例に係るキーボードユニットの構造を概略的に示す分解斜視図である。
【図１１】支持板の構造を概略的に示す平面図である。
【図１２】支持板の構造を概略的に示す平面図である。
【図１３】一具体例に係る移動ブロックの構造を概略的に示す断面図である。
【図１４】移動ブロックの移動の様子を概略的に示す斜視図である。
【図１５】移動ブロックの移動の様子を概略的に示す平面図である。
【図１６】移動ブロックの移動の様子を概略的に示す平面図である。
【図１７】一具体例に係る支持ブロックの構造を概略的に示す断面図である。
【図１８】支持板に対してキーボードが回転する様子を概略的に示す部分透視平面図である。
【図１９】第２実施形態に係る携帯電話端末の構造を概略的に示す斜視図である。
【発明を実施するための形態】
【０００９】
以下、添付図面を参照しつつ本発明の一実施形態を説明する。
【００１０】
図１は本発明の一実施形態に係る電子機器すなわち折り畳み式携帯電話端末１１を概略的に示す。この携帯電話端末１１は電話本体１２とディスプレイ装置１３とを備える。電話本体１２は本体筐体１４を備える。本体筐体１４は例えば縦長の直方体形状に形成される。本体筐体１４にはプリント基板が組み込まれる。周知の通り、プリント基板には例えばＣＰＵ（中央演算処理装置）やメモリといった処理回路が実装される。
【００１１】
ディスプレイ装置１３はディスプレイ用筐体１５を備える。ディスプレイ用筐体１５は例えば縦長の直方体形状に形成される。ディスプレイ用筐体１５には液晶ディスプレイ（ＬＣＤ）パネル１６といった平面ディスプレイパネルが組み込まれる。ＬＣＤパネル１６の画面は、ディスプレイ用筐体１５の表側平坦面に形成される矩形のディスプレイ用開口１７に臨む。ＬＣＤパネル１６の画面にはＣＰＵの処理動作に応じて様々なテキストやグラフィックスが表示される。
【００１２】
本体筐体１４の表側平坦面に形成される開口１８内には例えば縦長のキーボードユニット１９が組み込まれる。キーボードユニット１９の表面は、例えば電話本体１２の表側平坦面を含む仮想平面内に規定される。キーボードユニット１９は例えば縦長のキーボード２１を備える。キーボード２１には例えばオンフックボタンやオフフックボタン、ダイヤルキーといった入力キーすなわちキーパッド２２が埋め込まれる。
【００１３】
開口１８の外側で本体筐体１４の表側平坦面には送話口２３が区画される。送話口２３内にはマイク２４が組み込まれる。その一方で、ディスプレイ用筐体１５には画面の外側で受話口２５が区画される。受話口２５内にはスピーカ２６が埋め込まれる。通話にあたって携帯電話端末１１の使用者はマイク２４から音声を入力する。スピーカ２６は通話相手の音声を再生する。
【００１４】
ディスプレイ装置１３は電話本体１２に対して水平軸２７回りで揺動することができる。水平軸２７は、本体筐体１４の表側平坦面の上端すなわち短辺に沿ってその表側平坦面に平行に設定される。ディスプレイ用筐体１５の表側平坦面は内向きに本体筐体１４の表側平坦面に重ね合わせられる。携帯電話端末１１は閉じられる。こうして携帯電話端末１１は閉じ状態を確立する。ディスプレイ装置１３はキーボードユニット１９を覆い隠す。
【００１５】
その一方で、閉じ状態からディスプレイ装置１３が電話本体１２に対して水平軸２７回りで揺動すると、携帯電話端末１１は開き状態を確立する。電話本体１２およびディスプレイ装置１３はともに正面を向く。こうして直立姿勢が確立される。ディスプレイ用筐体１５の表側平坦面は本体筐体１４の表側平坦面に所定の傾斜角で交差する。縦置きの電話本体１２に対して縦長の画面が確立される。
【００１６】
図２に示されるように、キーボードユニット１９は、例えば本体筐体１４の表側平坦面の右側端すなわち長辺に沿って規定される揺動軸３１回りで揺動することができる。こうしてキーボードユニット１９は、開口１８内に収容される収容位置、および、本体筐体１４の表側平坦面に対して傾斜姿勢で立ち上がる展開位置の間で姿勢を変化させることができる。展開位置では、キーボード２１の表面は本体筐体１４の表側平坦面に対して所定の傾斜角を規定する。
【００１７】
キーボードユニット１９は、表面でキーボード２１の裏面を受け止める例えば縦長の支持板３２を備える。支持板３２の下端には支持アーム３３の一端が連結される。支持アーム３３の他端は本体筐体１４に連結される。キーボードユニット１９が傾斜姿勢を確立すると、支持アーム３３は開口１８内で立ち上がる。この支持アーム３３の働きでキーボードユニット１９の傾斜姿勢は維持される。
【００１８】
支持アーム３３の一端は、揺動軸３１に平行に延びる支軸３４に揺動自在に連結される。支軸３４は支持板３２に固定される。支持アーム３３の他端には操作片３５が取り付けられる。操作片３５は、本体筐体１４の表側平坦面の下端すなわち短辺に沿って本体筐体１４の下面に形成される長溝３６内に受け入れられる。長溝３６は操作片３５の移動経路を規定する。後述のように、長溝３６内での操作片３５の移動に応じて展開位置でキーボードユニット１９の傾斜姿勢は変化する。
【００１９】
図３に示されるように、長溝３６は、本体筐体１４の下面の右側端から左側端に向かって延びる。本体筐体１４の底面側に規定される長溝３６の下縁には、本体筐体１４の底面に向かって窪む複数の窪み３７が配置される。ここでは、長溝３６の一端から他端に向かって例えば４つの窪み３７が配列される。操作片３５は、揺動軸３１に平行な中心軸回りに描かれる仮想円筒面に沿って外周面を規定する。窪み３７の輪郭は操作片３５の外周面に応じて湾曲する。
【００２０】
操作片３５が揺動軸３１に最も近い窪み３７に配置されると、操作片３５は基準位置に位置決めされる。操作片３５が基準位置に位置決めされると、キーボードユニット１９は開口１８内の収容位置に配置される。例えばキーボード２１の表面は、本体筐体１４の表側平坦面を含む仮想平面に一致する。支持アーム３３は本体筐体１４内に配置される。このとき、図３から明らかなように、支軸３４の軸心は操作片３５の中心軸よりキーボード２１の表面に近い位置に配置される。
【００２１】
図４に示されるように、操作片３５が長溝３６の一端から他端に向かって移動すると、操作片３５すなわち支持アーム３３の他端の移動に応じて支持アーム３３の一端すなわち支軸３４は操作片３５の中心軸回りに揺動する。こうして操作片３５の移動は支軸３４の揺動を引き起こす。支軸３４の軸心は操作片３５の中心軸よりキーボード２１の表面に近い位置に配置されることから、支軸３４の揺動に応じてキーボードユニット１９は揺動軸３１回りで揺動する。支持アーム３３の一端はキーボードユニット１９を持ち上げる。
【００２２】
操作片３５が、基準位置から最も遠い窪み３７に配置されると、キーボード２１の表面は本体筐体１４の表側平坦面に対して最大傾斜角を規定する。こうして操作片３５が基準位置から順番に窪み３７を移動するにつれて、キーボードユニット１９は段階的にキーボード２１の表面の傾斜角を増大させていく。その結果、各窪み３７内に操作片３５が位置決めされるたびに支持アーム３３の働きでキーボードユニット１９の傾斜姿勢が維持される。
【００２３】
図５に示されるように、キーボードユニット１９の支持板３２は、揺動軸３１に沿って延びる１対の支軸３８に連結される。支軸３８は支持板３２の側端に連結される。支軸３８は本体筐体１４に固定される。その一方で、支持アーム３３の他端には支軸３４に平行に延びる支軸３９が連結される。支持アーム３３の他端は支軸３９の軸心回りに揺動自在に支軸３９に連結される。支軸３９は支持アーム３３から本体筐体１４の下面に向かって延びる。支軸３９の外端には前述の操作片３５が取り付けられる。操作片３５は、本体筐体１４の下面から外側に部分的に突き出る。
【００２４】
図６を併せて参照し、操作片３５および支持アーム３３の間で支軸３９には支軸３９の軸心回りに回転自在に歯車４１が連結される。歯車４１には押し付け機構４２が関連付けられる。押し付け機構４２は、本体筐体１４の内壁に取り付けられる枠体４２ａと、本体筐体１４の底面に対して進退自在に枠体４２ａに支持される押し付け片４２ｂとを備える。押し付け片４２ｂは長溝３６に対して本体筐体１４の底面に沿って延びる。枠体４２ａの下端は押し付け片４２ｂの両端を保持する。その結果、枠体４２ａは、本体筐体１４の底面に向かう押し付け片４２ｂの移動を規制する。
【００２５】
押し付け機構４２は、押し付け片４２ｂの上端および枠体４２ａの上端の間に配置される例えば複数の弾性部材すなわちコイルばね４４を備える。コイルばね４４は、枠体４２ａの上端から本体筐体１４の底面に向かって押し付け片４２ｂを遠ざける弾性力を発揮する。こうした弾性力に基づき押し付け片４２ｂは枠体４２ａの下端に押し付けられる。押し付けブロック４２ａの下端には、揺動軸３１に平行に延びる回転軸４５回りで回転自在に複数の車輪４６が連結される。車輪４６は等間隔に配置される。隣接する車輪４６、４６同士の間に歯車４１の歯が噛み合う。
【００２６】
いま、操作片３５が基準位置の窪み３７に配置されると、コイルばね４４の弾性力に基づき歯車４１は本体筐体１４の底面に向かって押し付けられる。その結果、操作片３５は窪み３７内に十分な押し付け力で押し付けられる。こうしてキーボードユニット１９は収容位置に保持される。このとき、携帯電話端末１１の使用者は、押し付け片４２ｂの押し付け力に抗して窪み３７から長溝３６の上縁に向かって操作片３５を押し上げる。操作片３５の上端は長溝３６の上縁に接触する。歯車４１は車輪４６を介して押し付け片４２ｂを枠体４２ａの上端に向かって押し上げる。押し上げに応じてコイルばね４４では弾性力が増大していく。
【００２７】
このとき、操作片３５が長溝３６の上縁に沿って隣接する窪み３７に向かって移動すると、歯車４１は回転に基づき車輪４６、４６同士の間に歯を配置していく。歯車４１の歯は車輪４６の回転に基づき車輪４６に円滑に噛み合う。コイルばね４４の弾性力に基づき押し付け片４２ｂは本体筐体１４の底面に向かって歯車４１を押し付け続ける。操作片３５が隣接する窪み３７内に配置されると、コイルばね４４の弾性力に基づき操作片３５は窪み３７内に十分な押し付け力で押し付けられる。操作片３５は窪み３７内に確実に保持される。このとき、コイルばね４４の弾性力に基づき傾斜姿勢ごとにいわゆるクリック感が確立される。
【００２８】
その一方で、図７に示されるように、展開位置に配置されるキーボードユニット１９では、キーボード２１は支持板３２の表面に沿ってスライド移動することができる。本実施形態では、キーボード２１は、支持板３２と輪郭を一致させる第１基準位置から、揺動軸３１に沿って支持板３２の上端に向かうにつれて揺動軸３１すなわち支持板３２の側端と下端とから遠ざかる第１方向Ｄ１にスライド移動することができる。こうしてキーボード２１が第１方向Ｄ１に最大限にスライド移動すると、キーボード２１は所定の第１基準位置に位置決めされる。
【００２９】
第１基準位置のキーボード２１は、揺動軸３１に平行に支持板３２の下端から遠ざかる第２方向Ｄ２にさらにスライド移動することができる。こうしてキーボード２１が第２方向Ｄ２に最大限にスライド移動すると、図８に示されるように、キーボード２１は所定の第２基準位置に位置決めされる。加えて、図９に示されるように、第１基準位置から第３基準位置までのスライド移動中、キーボード２１は回転軸４７回りの第３方向Ｄ３に所定の回転角で回転することができる。回転軸４７は支持板３２の表面に直交する。こうしてキーボード２１はその向きを変化させることができる。
【００３０】
図１０に示されるように、支持板３２は薄い平板状の上側板５１および下側板５２を備える。上側板５１は裏面で下側板５２の表面に重ね合わせられる。上側板５１には１筋の案内溝５３が形成される。案内溝５３は、一端から他端まで前述の第１方向Ｄ１に延びる第１溝５３ａと、第１溝５３ａの他端に接続される一端から他端まで前述の第２方向Ｄ２に延びる第２溝５３ｂとを備える。同様に、下側板５２には１筋の案内溝５４が形成される。案内溝５４は、一端から他端まで第１方向Ｄ１に延びる第１溝５４ａと、第１溝５４ａの他端に接続される一端から多端まで第２方向Ｄ２に延びる第２溝５４ｂとを備える。上側板５１および下側板５２が相互に重ね合わせられると、案内溝５３、５４は相互に重なる。
【００３１】
キーボード２１は回転軸４７回りで回転自在に支持ブロック５７に連結される。支持ブロック５７には第１移動ブロック５８が固定される。第１移動ブロック５８は第１方向Ｄ１に沿って側端を規定する。第１移動ブロック５８は上側板５１の案内溝５３内に配置される。第１移動ブロック５８は上側板５１の表面に沿って案内溝５３内を移動することができる。第１移動ブロック５８には第２移動ブロック５９が固定される。第２移動ブロック５９は下側板５２の案内溝５４内に配置される。第２移動ブロック５９は下側板５２の表面に沿って案内溝５４内を移動することができる。第２移動ブロック５９は第２方向Ｄ２に沿って側端を規定する。
【００３２】
図１１を併せて参照し、上側板５１では、第１溝５３ａの内縁に相互に平行に延びる１対の第１案内レール６１、６１が形成される。第１案内レール６１、６１は第１溝５３ａ内で第１方向Ｄ１に第１移動ブロック５８の移動を案内する。第１案内レール６１は、第１方向Ｄ１に沿って交互に配置される凸部６１ａと凹部６１ｂとを備える。すなわち、第１案内レール６１は、第１方向Ｄ１に沿って蛇行しつつ延びる外縁を規定する。第１案内レール６１、６１の外縁は、第１溝５３ａ内で内縁から等距離に規定される中心面Ｐ１に対して面対称に形成される。図１１から明らかなように、第１および第２移動ブロック５８、５９は傾斜姿勢で相互に重ね合わせられる。
【００３３】
第１移動ブロック５８は、例えば平たい直方体形状のブロック本体６２と、ブロック本体６２の両側端から前述の中心面Ｐ１に直交する方向に進退自在に突き出す支持片６３とを備える。支持片６３には１対の車輪６４、６４が回転軸６５回りに回転自在に支持される。回転軸６５は支持板３２の表面に直交する。第１移動ブロック５８が第１方向Ｄ１に移動すると、支持片６３の進退移動に基づき車輪６４は第１案内レール６１の外縁に押し当てられる。車輪６４は第１案内レール６１の凸部６１ａおよび凹部６１ｂを交互に辿る。このとき、回転に基づき車輪６４は外縁と円滑に接触する。こうして第１案内レール６１、６１は第１方向に第１移動ブロック５８の移動を案内する。
【００３４】
図１２を併せて参照し、下側板５２では、第２溝５４ｂの内縁に相互に平行に延びる１対の第２案内レール６６、６６が形成される。第２案内レール６６、６６は第２溝５４ｂ内で第２方向に第２移動ブロック５９の移動を案内する。第２案内レール６６は、第２方向Ｄ２に沿って交互に配置される凸部６６ａと凹部６６ｂとを備える。すなわち、第２案内レール６６は、第２方向Ｄ２に沿って蛇行しつつ延びる外縁を規定する。第２案内レール６６、６６の外縁は、第２溝５４ｂ内で内縁から等距離に規定される中心面Ｐ２に対して面対称に形成される。
【００３５】
第２移動ブロック５９は、例えば平たい直方体形状のブロック本体６７と、ブロック本体６７の両側端から前述の中心面Ｐ２に直交する方向に進退自在に突き出す支持片６８とを備える。支持片６８には１対の車輪６９、６９が回転軸７１回りに回転自在に連結される。回転軸７１は支持板３２の表面に直交する。第２移動ブロック５９が第２方向Ｄ２に移動すると、支持片６８の進退移動に基づき車輪６９は第２案内レール６６の外縁に押し当てられる。車輪６９は第２案内レール６６の凸部６６ａおよび凹部６６ｂを交互に辿る。このとき、回転に基づき車輪６９は外縁と円滑に接触する。こうして第２案内レール６６、６６は第２方向Ｄ２に第２移動ブロック５９の移動を案内する。
【００３６】
図１３に示されるように、第１移動ブロック５８では、ブロック本体６２は、中心面Ｐ１に沿って延びる基材６２ａと、基材６２ａから中心面Ｐ１に直交する方向に相互に反対向きに突き出る２対の規制部材６２ｂとを備える。規制部材６２ｂ、６２ｂの先端は支持片６３を受け止める。こうして中心面Ｐ１に直交する方向に支持片６３の移動は規制される。基材６２ａと支持片６３との間には例えば１対の弾性部材すなわちコイルばね７２が配置される。コイルばね７２は、基材６２ａから支持片６３を遠ざける弾性力を発揮する。こうして中心面Ｐ１に直交する方向に支持片６３の進退移動が実現される。なお、第２移動ブロック５９は第１移動ブロック５８と同様の構成を備えることから、ここでの説明は省略される。
【００３７】
いま、展開位置のキーボードユニット１９でキーボード２１が基準姿勢を確立すると、図１４に示されるように、第１および第２移動ブロック５８、５９は案内溝５３、５４の第１溝５３ａ、５４ａの一端に配置される。第１移動ブロック５８は第１案内レール６１、６１に支持される。第２移動ブロック５９は第１溝５４ａ内に配置される。第１移動ブロック５８は第１溝５３ａの一端に受け止められる。キーボード２１が第１基準位置から第２基準位置に向かって第１方向Ｄ１に移動すると、第１移動ブロック５８の移動は第１案内レール６１、６１に案内される。このとき、第１移動ブロック５８の車輪６４が第１案内レール６１の凹部６１ｂに受け入れられるたび、コイルばね７２の働きでクリック感が確立される。その一方で、第２移動ブロック５９は案内レールの案内なしに第１溝５４ａ内を移動する。
【００３８】
キーボード２１が第２基準位置に到達すると、図１５に示されるように、第１移動ブロック５８の角は第２溝５３ｂの内縁に接触する。同時に、第２移動ブロック５９の角は第１溝５４ａの内縁に接触する。第１移動ブロック５８は第１案内レール６１、６１に支持される。第２移動ブロック５９は第２案内レール６６、６６に支持される。このとき、キーボード２１が第２基準位置から第３基準位置に向かって第２方向Ｄ２に移動すると、第１移動ブロック５８は第１案内レール６１、６１から離脱する。こうして第２移動ブロック５９の移動は第２案内レール６６、６６で案内される。このとき、第２移動ブロック５９の車輪６９が第２案内レール６６の凹部６６ｂに受け入れられるたび、第２移動ブロック５９内のコイルばねの働きでクリック感が確立される。その一方で、第１移動ブロック５８は案内レールの案内なしに第２溝５３ｂ内を移動する。
【００３９】
キーボード２１が第２位置に到達すると、図１６に示されるように、第２移動ブロック５９は第２溝５４ｂの一端に受け止められる。キーボード２１は第２位置に保持される。こうして基準位置から第１位置および第２位置へのキーボード２１のスライド移動中、第１移動ブロック５８の車輪６４と第１案内レール６１との接触に基づき凹部６１ｂごとにコイルばね７２の働きでキーボード２１の位置は固定される。同様に、第２移動ブロック５９の車輪６９と第２案内レール６６との接触に基づき凹部６６ｂごとにコイルばねの働きでキーボード２１の位置は固定される。こうしてキーボード２１の位置が固定される際、キーボード２１は回転軸４７回りで回転することができる。
【００４０】
図１７に示されるように、支持ブロック５７は、例えば平たい直方体形状のブロック本体７５を備える。ブロック本体７５には歯車７６が組み込まれる。歯車７６には支軸７７が固定される。支軸７７はキーボード２１に連結される。支軸７７は、キーボード２１の裏面に直交する垂直方向に延びる。歯車７６はブロック本体７５の枠体７５ａ内に配置される。枠体７５ａには、支軸７７に向かって進退自在に１対の支持片７８、７８が連結される。支持片７８は支軸７７を挟んで相互に反対側に配置される。支持片７８の外端および枠体７５ａとの間には例えば１対の弾性部材すなわちコイルばね７９が配置される。コイルばね７９は、枠体７５ａから支持片７８を遠ざかる弾性力を発揮する。
【００４１】
支持片７８の内端には回転軸８１回りで回転自在に例えば１対の車輪８２が連結される。回転軸８１は支軸７７の軸心に平行に延びる。車輪８２、８２同士の間に歯車７６の歯が受け止められる。支軸７７の軸心回りに歯車７６が回転すると、歯車７６の外縁は車輪８２に押し当てられる。支軸７７の軸心に直交する方向に支持片７８の進退移動が実現される。回転に基づき車輪８２は歯車７６と円滑に接触する。コイルばね７９の弾性力に基づき歯車７６に向かって車輪８２、８２が押し付けられると、車輪８２、８２同士の間に歯車７６の歯が位置決めされる。歯車７６すなわちキーボード２１の回転は停止する。こうして支持ブロック５７は支軸７７すなわちキーボード２１の回転を案内する。
【００４２】
図１８に示されるように、キーボード２１の裏面には支持板３２に向かって突き出る１対の突起８３ａ、８３ｂが形成される。前述のように、支持ブロック５７は第１および第２移動ブロック５８、５９に固定される。第１および第２移動ブロック５８、５９は案内溝５３、５４内に配置されることから、キーボード２１の回転に拘わらず支持ブロック５７の回転は規制される。したがって、例えば回転軸４７回りに時計回りにキーボード２１が回転すると、突起８３ａは支持ブロック５７の枠体７５ａに受け止められる。キーボード２１の回転は規制される。その一方で、回転軸４７回りにキーボード２１が反時計回りに回転すると、突起８３ｂは支持ブロック５７の枠体７５ａに受け止められる。ここでは、キーボード２１の回転範囲は、揺動軸３１に沿って側端を規定する０度から例えば±２０度の回転角の範囲に設定される。
【００４３】
いま、使用者が例えばメールの送信にあたって開き状態の携帯電話端末１１に文字を入力する場面を想定する。ここでは、使用者が右手で電話本体１２を持つ場合を想定する。使用者は、例えば右手の手のひらと中指、薬指および小指とで電話本体１２を保持する。このとき、使用者は左手の指で操作片３５を基準位置から移動させる。使用者は、窪み３７の位置を選択して任意の傾斜角でキーボードユニット１９の傾斜姿勢を確立する。キーボード２１の表面は親指に近づく。このとき、使用者は親指を大きく曲げることなくキーパッド２２を押すことができる。特に、使用者は、揺動軸３１に最も近い位置で縦に配列されるキーパッド２２（例えばオフフックボタンや３、６、９、♯）を簡単に押すことができる。
【００４４】
しかも、傾斜姿勢のキーボードユニット１９では、キーボード２１のスライド移動や回転が実現されることから、使用者は自分の押しやすい位置にキーパッド２２の位置を任意に移動させることができる。キーボード２１は例えば揺動軸３１から遠ざかる第１方向Ｄ１や揺動軸３１に沿って第２方向Ｄ２にスライド移動することができることから、使用者は、例えば親指から離れた位置にキーパッド２２を位置決めすることができる。同時に、スライド移動中のキーボード２１は回転軸４７回りで回転することから、使用者は、揺動軸３１に対してキーボード２１上でのキーパッド２２の配列の向きを変化させることができる。こうして使用者は快適に文字を入力することができる。文字入力のしやすさは飛躍的に向上する。
【００４５】
図１９は本発明の第２実施形態に係る携帯電話端末１１ａの構造を概略的に示す。この携帯電話端末１１ａでは、閉じ状態の携帯電話端末１１ａでディスプレイ装置１３は電話本体１２に対して水平軸２７ａ回りにさらに回転することができる。水平軸２７ａは、本体筐体１４の表側平坦面の左側端すなわち長辺に沿ってその表側平坦面に平行に設定される。水平軸２７ａは前述の水平軸２７に直交する。こうしてディスプレイ用筐体１６は、本体筐体１４の表側平坦面に対して所定の傾斜角で交差する傾斜姿勢を確立する。同時に、キーボードユニット１９は所定の傾斜姿勢を確立することができる。その他、前述の携帯電話端末１１と均等な構成や構造には同一の参照符号が付される。こうした携帯電話端末１１ａによれば、前述と同様の作用効果が実現される。
【００４６】
以上のような携帯電話装置１１、１１ａは、使用者が例えば右手で電話本体１２を保持する場合に特に効果を発揮する。その一方で、使用者が例えば左手で電話本体１２を保持する場合には、キーボードユニット１９の揺動軸３１が本体筐体１４の表側平坦面の左側端に沿って規定されればよい。このとき、キーボードユニット１９の構造は前述のキーボードユニット１９の構造と左右対称に構成されればよい。例えば携帯電話端末１１ａでは、水平軸２７ａは、本体筐体１４の表側平坦面の右側端すなわち長辺に沿ってその表側平坦面に平行に設定されればよい。
【００４７】
その他、携帯電話端末１１、１１ａでは、キーボード２１は、液晶ディスプレイ（ＬＣＤ）パネルといった平面ディスプレイパネルを備えてもよい。ＬＣＤパネルの表面には例えばタッチパネルが配置される。タッチパネルは、ＬＣＤパネルの表示に連動してオンフックボタンやオフフックボタン、ダイヤルキーといった入力キーを提供することができる。こうした携帯電話端末１１、１１ａによれば、前述と同様の作用効果が実現される。なお、電子機器には例えば情報携帯端末（ＰＤＡ：Personal Digital Assistant）といったその他の電子機器が含まれる。
【００４８】
以上の実施形態に関し出願人はさらに以下の付記を開示する。
【００４９】
（付記１）  筐体と、
表面に入力キーを配列し、前記筐体の表面に形成される開口内に収容される収容位置、および、前記筐体の表面に対して所定の傾斜角を規定する傾斜姿勢で立ち上がる展開位置の間で相対変位自在に前記筐体に連結されるキーボードユニットとを備えることを特徴とする電子機器。
【００５０】
（付記２）  付記１に記載の電子機器において、前記キーボードユニットは、前記筐体の表面の側端に沿って規定される揺動軸回りで揺動自在に前記筐体に連結されることを特徴とする電子機器。
【００５１】
（付記３）  付記１または２に記載の電子機器において、
前記キーボードユニットは、
表面に前記入力キーを配列するキーボードと、
表面で前記キーボードの裏面を受け止めて、その表面に沿って前記キーボードを相対変位自在に支持する支持板とを備えることを特徴とする電子機器。
【００５２】
（付記４）  付記３に記載の電子機器において、前記支持板は、その表面に直交する回転軸回りで回転自在に前記キーボードを支持することを特徴とする電子機器。
【００５３】
（付記５）  付記３または４に記載の電子機器において、
前記キーボードユニットは、
前記支持板に形成されるレールと、
前記キーボードに連結されて、前記レールに案内される移動ブロックとを備えることを特徴とする電子機器。
【００５４】
（付記６）  付記３〜５のいずれか１項に記載の電子機器において、
前記キーボードユニットは、
前記キーボードに固定される歯車と、
前記支持板に連結されて、前記回転軸回りで前記歯車を回転自在に支持する支持ブロックとを備えることを特徴とする電子機器。
【００５５】
（付記７）  付記１に記載の電子機器において、
前記キーボードユニットは、
表面に前記入力キーを配列するキーボードと、
表面で前記キーボードの裏面を受け止めて、その表面に直交する回転軸回りで回転自在に前記キーボードを支持する支持板とを備えることを特徴とする電子機器。
【符号の説明】
【００５６】
１１、１１ａ  電子機器（携帯電話端末）、１４  筐体（本体筐体）、１８  開口、１９  キーボードユニット、２１  キーボード、２２  入力キー（キーパッド）、３１  揺動軸、３２  支持板、４７  回転軸、５７  支持ブロック、５８  移動ブロック（第１移動ブロック）、５９  移動ブロック（第２移動ブロック）、６１  レール（第１案内レール）、６６  レール（第２案内レール）、７６  歯車。
【図１】
2010277134.tif 000003
【図２】
2010277134.tif 000004
【図３】
2010277134.tif 000005
【図４】
2010277134.tif 000006
【図５】
2010277134.tif 000007
【図６】
2010277134.tif 000008
【図７】
2010277134.tif 000009
【図８】
2010277134.tif 000010
【図９】
2010277134.tif 000011
【図１０】
2010277134.tif 000012
【図１１】
2010277134.tif 000013
【図１２】
2010277134.tif 000014
【図１３】
2010277134.tif 000015
【図１４】
2010277134.tif 000016
【図１５】
2010277134.tif 000017
【図１６】
2010277134.tif 000018
【図１７】
2010277134.tif 000019
【図１８】
2010277134.tif 000020
【図１９】
2010277134.tif 000021